(57)【特許請求の範囲】
【請求項１】
筐体と、
前記筐体内に収納された吸引カップと、
前記吸引カップの吸引口の周囲に設けられ、前記筐体の底部から露出する吸着パッドと、
前記筐体内に収納され、前記吸引カップの内部を負圧とする真空ポンプと、
前記吸引カップに取付けられた取手と、
前記吸引カップに取付けられ、前記吸引カップの内部の圧力を測定する圧力ゲージと、
を有する漏水検査装置。
【請求項２】
前記吸引カップと前記真空ポンプはチューブで接続されており、前記筐体の外側を通る前記チューブにはフィルタ部が設けられている、請求項１に記載の漏水検査装置。
【請求項３】
前記吸着パッドは発泡樹脂材で成形され、前記吸着パッドには蓋体が着脱可能とされている、請求項１又は２に記載の漏水検査装置。
【発明の詳細な説明】
【技術分野】
【０００１】
本発明は、配電盤等の屋外に設置される電気設備の漏水検査装置に関する。
【背景技術】
【０００２】
配電盤等の屋外に設置される電気設備において、電気設備のキュービクルの溶接部から内部への溶接不良による雨水等の漏水を防ぐため、溶接部の漏水検査が行われている。漏水検査の方法としては、従来、超音波探傷検査や渦流探傷検査、放射線透過検査等の方法が用いられている。また、発泡漏れ検査剤や蛍光染料添加剤、発色現像剤、浸透探傷剤を用いた漏水検査の方法もある。
【０００３】
また、他の検査方法として、特許文献１には、測定空間内の圧力の変化を測定することにより、容器の部品組み付け部分における微少漏れを検査する方法が開示されている。
【先行技術文献】
【特許文献】
【０００４】
【特許文献１】特開２００４−８５４６１号公報
【発明の概要】
【発明が解決しようとする課題】
【０００５】
従来の超音波探傷検査や渦流探傷検査、放射線透過検査等の方法では、漏水検査が容易でなく、検査装置が高価である。また、発泡漏れ検査剤や蛍光染料添加剤、発色現像剤、浸透探傷剤を用いた方法では、専用の検査液が必要となり、漏水検査に時間がかかる。
【０００６】
また、特許文献１に開示されている検査方法では、正圧の空気を注入して容器内を密閉封止した後に検査を行なう必要があるため、キュービクルの溶接部の漏水検査に応用することは困難であり、また検査に時間がかかる。さらに、検査ヘッドと真空ポンプ、負圧式エアーテスタが別々に設置されているため、持ち運びが困難であり、屋外での検査に不向きである。
【０００７】
本発明は上記事実を考慮し、持ち運び及び屋外での検査が容易な漏水検査装置を提供することを目的とする。
【課題を解決するための手段】
【０００８】
請求項１に記載の漏水検査装置は、筐体と、前記筐体内に収納された吸引カップと、前記吸引カップの吸引口の周囲に設けられ、前記筐体の底部から露出する吸着パッドと、前記筐体内に収納され、前記吸引カップの内部を負圧とする真空ポンプと、前記吸引カップに取付けられた取手と、前記吸引カップに取付けられ、前記吸引カップの内部の圧力を測定する圧力ゲージと、を有する。
【０００９】
上記構成によれば、吸引カップと真空ポンプは筐体に収納されているため、取手を掴んで漏水検査装置を検査箇所まで持ち運ぶことができる。また、吸着パッドは、筐体の底部から露出しているため、溶接部を吸引カップで覆うように筐体を置くだけで、漏水検査装置の自重で吸引カップの内部が密閉空間となる。
【００１０】
ここで、真空ポンプを駆動して吸引カップの内部を負圧とした後、真空ポンプを停止し、吸引カップの内部の圧力の変化を圧力ゲージで測定する。溶接部に溶接不良がある場合、空気が吸引カップの内部へ浸入して圧力ゲージの測定値が変化するため、溶接部の状態を検査することができる。
【００１１】
請求項２に記載の漏水検査装置は、請求項１に記載の漏水検査装置であって、前記吸引カップと前記真空ポンプはチューブで接続されており、前記筐体の外側を通る前記チューブにはフィルタ部が設けられている。
【００１２】
上記構成によれば、フィルタ部によって、溶接部に付着している粉塵が真空ポンプへ流入することを抑制することができる。また、フィルタ部は、筐体の外側を通るチューブに設けられているので、交換が容易である。
【００１３】
請求項３に記載の漏水検査装置は、請求項１又は２に記載の漏水検査装置であって、前記吸着パッドは発泡樹脂材で成形され、前記吸着パッドには蓋体が着脱可能とされている。
【００１４】
上記構成によれば、吸着パッドに蓋体を装着することで、漏水検査装置の不使用時に吸着パッドが汚れない。また、吸着パッドを発泡樹脂材で成形することで、ゴム製の吸着パッドと比較すると、溶接部の周りの板面に不陸があっても、密着して吸引カップの内部を密閉空間とすることができる。
【発明の効果】
【００１５】
本発明によれば、持ち運び及び屋外での検査が容易な漏水検査装置を提供することができる。
【図面の簡単な説明】
【００１６】
【図１】本発明の実施形態に係る漏水検査装置を示す斜視図である。
【図２】本発明の実施形態に係る漏水検査装置を示す平面図である。
【図３】本発明の実施形態に係る漏水検査装置を示す正面図である。
【発明を実施するための形態】
【００１７】
以下、本発明の実施形態に係る漏水検査装置の一例について、図１〜図３を参照して説明する。
【００１８】
（漏水検査装置の構成）
図１〜図３に示すように、本実施形態の漏水検査装置１０は、ステンレス等の金属からなる矩形状の筐体１２と、筐体１２に収容された吸引カップ１４及び真空ポンプ１６とを備えている。
【００１９】
筐体１２は、上下面及び側面の一面が開放されたカップ収容部１８を有しており、カップ収容部１８は、吸引カップ１４の外周を囲うように図示しないボルトで吸引カップ１４に固定されている。
【００２０】
吸引カップ１４は下面が開放された円筒状の部材であり、内部に測定空間２２が形成されている。吸引カップ１４の上面には、半円弧形状の取手２４がボルト２４Ａによって固定されている。また、吸引カップ１４の上面には、指針２６Ａ及び図示しない目盛を備え、測定空間２２の圧力を測定する圧力ゲージ２６が取り付けられている。
【００２１】
さらに、吸引カップ１４の上面には、吸引カップ１４の外部と測定空間２２とを連通する連通孔１４Ａが形成されており、連通孔１４Ａには、カップ側チューブ２８の一端が固定されている。
【００２２】
吸引カップ１４の下端部は吸引口１４Ｂとされており、吸引口１４Ｂの周囲には、発泡樹脂材で成形されたスポンジ状の吸着パッド３０が取付けられている。なお、吸着パッド３０は、筐体１２の底部から露出するように設けられており、漏水検査装置１０の未使用時には、図１に示すように、着脱可能に取り付けられたカップ状で樹脂製の蓋体３２によって覆われている。
【００２３】
筐体１２のカップ収容部１８の一側面には、複数のボルト３４によってポンプ収容部３６が固定されている。また、ポンプ収容部３６には真空ポンプ１６が収容されており、真空ポンプ１６は、固定用ホルダ３８によってカップ収容部１８の側面に固定されている。
【００２４】
真空ポンプ１６は、モータ１６Ａ及びモータ１６Ａで駆動される図示しないピストンを備えている。また、真空ポンプ１６には、吸入口１６Ｂ及び吐出口１６Ｃが設けられており、吸入口１６Ｂには、ポンプ側チューブ４０の一端が接続されている。
【００２５】
カップ収容部１８のポンプ収容部３６が固定された側面に対向する側面には、複数のボルト４２によってスイッチ部４４が固定されている。スイッチ部４４の上面には、真空ポンプ１６のモータ１６Ａと電気的に接続されたスイッチ４６が設けられている。なお、スイッチ部４４の側面には、真空ポンプ１６のモータ１６Ａと電気的に接続されたコード４８の一端が固定されており、コード４８の他端は図示しない電源に接続されている。
【００２６】
また、スイッチ部４４には、大気に連通する連通路５０Ａが形成された連通室５０が設けられており、カップ側チューブ２８の他端及びポンプ側チューブ４０の他端がそれぞれ連通室５０に接続されている。
【００２７】
連通室５０には、連通室５０内と連通路５０Ａとを連通する開位置と、連通室５０内と連通路５０Ａとを遮断する閉位置との間を移動する開閉弁５２が設けられている。また、スイッチ部４４の上面には、開閉弁５２の位置を手動で切替えるためのボタン５４が設けられている。
【００２８】
なお、吸引カップ１４の上面に一端が固定されたカップ側チューブ２８は、スイッチ部４４の上面に形成された貫通孔４４Ａを通ってスイッチ部４４の内部へと延び、スイッチ部４４に設けられた連通室５０に他端が接続される。
【００２９】
一方、真空ポンプ１６の吸入口１６Ｂに一端が接続されたポンプ側チューブ４０は、ポンプ収容部３６の側面に形成された貫通孔３６Ａを通って筐体１２の外周面に沿って延び、スイッチ部４４の側面に形成された貫通孔４４Ｂを通ってスイッチ部４４の内部へと延びて連通室５０に他端が接続される。
【００３０】
ここで、ポンプ側チューブ４０の筐体１２の外周面に沿って延びる部分には、フィルタ部５６が着脱可能に取付けられている。フィルタ部５６は、ポリフッ化ビニル製のフィルタ５６Ａを備えており、固定用ホルダ５８によって筐体１２のカップ収容部１８の側面に固定されている。
【００３１】
（漏水の検査方法）
次に、漏水検査装置１０による漏水検査方法について説明する。なお、本実施形態では一例として、図３に示すように、配電盤のキュービクル６０の屋根面６０Ａに溶接されたアイボルト６２の溶接部６２Ａにおける溶接不良の有無を検査することによって漏水を検査する。
【００３２】
検査を行う場合、まず取手２４を掴んで漏水検査装置１０の筐体１２を検査箇所であるキュービクル６０の屋根面６０Ａまで持ち運ぶ。そして、吸着パッド３０を覆っている蓋体３２を取り外した後、アイボルト６２の溶接部６２Ａを吸引カップ１４で覆うように、吸着パッド３０をキュービクル６０の屋根面６０Ａに接触させる。
【００３３】
このとき、開閉弁５２は、連通室５０内と連通路５０Ａとを遮断する閉位置とされている。また、漏水検査装置１０の自重で、吸引カップ１４の測定空間２２が密閉空間となる。なお、漏水検査装置１０をキュービクル６０の屋根面６０Ａに設置した後、コード４８を図示しない電源に接続する。
【００３４】
次に、スイッチ４６を押して真空ポンプ１６のモータ１６Ａを駆動させ、モータ１６Ａによって図示しないピストンを往復運動させることで真空ポンプ１６の吸入口１６Ｂから空気を吸入する。
【００３５】
ここで、真空ポンプ１６の吸入口１６Ｂにはポンプ側チューブ４０が接続されており、ポンプ側チューブ４０は連通室５０を介して吸引カップ１４の連通孔１４Ａに固定されたカップ側チューブ２８に繋がっている。このため、真空ポンプ１６によって吸引カップ１４の測定空間２２の空気が吸入（真空引き）され、測定空間２２が負圧となる。
【００３６】
圧力ゲージ２６の指針２６Ａを目視しながら真空ポンプ１６によって測定空間２２の空気を吸入し、測定空間２２の気圧が約−２５０ｍｍＨｇ（２５０ｍｍＨｇの負圧）になった段階でスイッチ４６を切って真空ポンプ１６のモータ１６Ａを停止させる。この状態で、一定時間（例えば１０秒間）待つ。
【００３７】
一定時間経過後、圧力ゲージ２６の指針２６Ａの位置（測定値）に変化が無い場合には、測定空間２２の気圧の変化が無いため、アイボルト６２の溶接部６２Ａは溶接不良では無いと判断する。
【００３８】
一方、圧力ゲージ２６の指針２６Ａの位置が変化している（測定値が低下している）場合には、溶接部６２Ａから測定空間２２へ空気が浸入して測定空間２２の気圧が変化しているため、アイボルト６２の溶接部６２Ａは溶接不良であると判断する。
【００３９】
検査後は、ボタン５４を押して開閉弁５２を連通室５０内と連通路５０Ａとを連通する開位置に切替えることにより、連通路５０Ａを介して測定空間２２に空気を流入させて測定空間２２を大気圧に戻すことができる。
【００４０】
（作用、効果）
本実施形態によれば、吸引カップ１４と真空ポンプ１６が筐体１２に収納されているため、片手で取手２４を掴んで漏水検査装置１０を持ち運ぶことができる。また、筐体１２は、ボルトで吸引カップ１４に固定されているため、簡単に着脱することができ、交換やメンテナンスが容易である。
【００４１】
また、吸引カップ１４と真空ポンプ１６が筐体１２に収納されているため、吸引カップ１４と真空ポンプ１６とが別々に設置されている構成と比較して、吸引カップ１４と真空ポンプ１６とを接続するチューブ（カップ側チューブ２８及びポンプ側チューブ４０）が短くなる。このため、屋外での検査であっでも、容易に漏水検査装置１０を検査箇所まで持ち運ぶことができる。
【００４２】
また、測定空間２２を高めの負圧（２５０ｍｍＨｇの負圧）にして検査するため、微少な穴（溶接不良）であっても容易に発見することができる。なお、測定空間２２を負圧にする際、キュービクル６０側は大気圧のままでよく、また測定空間２２を負圧にした後、１０秒間程で溶接不良の有無を判断することができるため、短時間で検査することができる。
【００４３】
また、吸着パッド３０は発泡樹脂材で成形されており、筐体１２の底部から露出している。このため、キュービクル６０の屋根面６０Ａの溶接部６２Ａの周りに不陸があっても、吸着パッド３０と屋根面６０Ａとを密着させることができるとともに、溶接部６２Ａを吸引カップ１４で覆うだけで、漏水検査装置１０の自重で測定空間２２を密閉空間とすることができる。
【００４４】
なお、漏水検査装置１０の未使用時において吸着パッド３０には蓋体３２が装着されているため、漏水検査装置１０を屋外に置いた場合であっても吸着パッド３０が汚れることがない。  
【００４５】
さらに、ポンプ側チューブ４０にフィルタ部５６が取付けられているため、溶接部６２Ａに付着している粉塵等がカップ側チューブ２８及びポンプ側チューブ４０を介して真空ポンプ１６へ流入することを、フィルタ部５６によって抑制することができる。また、フィルタ部５６は筐体１２の外側に着脱可能に設けられているため、交換やメンテナンスが容易である。
【００４６】
また、検査時には、スイッチ４６を押すことで真空ポンプ１６によって測定空間２２の空気を真空引きし、検査後には、ボタン５４を押すことで測定空間２２を大気圧に戻すことができる。つまり、スイッチ４６及びボタン５４を押すだけで検査を行うことができるため、漏水検査装置１０を容易に操作することができる。
【００４７】
（その他の実施形態）
なお、本発明について実施形態の一例を説明したが、本発明はかかる実施形態に限定されるものではなく、本発明の範囲内にて他の種々の実施形態が可能である。
【００４８】
例えば、上記の実施形態では、漏水検査装置１０にフィルタ部５６や蓋体３２が取付けられていたが、屋内等の粉塵が少ない場所で漏水検査装置１０を用いる場合には、フィルタ部５６や蓋体３２が取付けられていなくでもよい。
【００４９】
また、上記の実施形態では、キュービクル６０の屋根面６０Ａに溶接されたアイボルト６２の溶接部６２Ａにおける溶接不良の有無を検査していたが、検査対象、検査箇所は上記実施形態に限られず、漏水検査装置１０は様々な製品の漏水検査に用いることができる。
【符号の説明】
【００５０】
１０          漏水検査装置
１２          筐体
１４          吸引カップ
１４Ｂ        吸引口
１６          真空ポンプ
２４          取手
２６          圧力ゲージ
３０          吸着パッド
２８          カップ側チューブ（チューブ）
３２          蓋体
４０          ポンプ側チューブ（チューブ）
５６          フィルタ部
【図１】
0006628655.tif 000002
【図２】
0006628655.tif 000003
【図３】
0006628655.tif 000004